(57)【要約】【課題】ドレンパンからの水漏れの発生を低減することができる空気調和機の室内機を提供する。【解決手段】空気調和機の室内機２は、室内熱交換器６と、第１ドレンパン７８と、ボス部８１とを備える。第１ドレンパン７８は、室内熱交換器６から生じるドレン水を受ける。ボス部８１は、ネジが通されるネジ穴８３を有し、第１ドレンパン７８の側壁に設けられる。そして、ボス部８１は、第１ドレンパン７８内の最高水面位置よりも上方に位置する。【選択図】図２
2007205675.tif 000002
【特許請求の範囲】
【請求項１】
熱交換器（６）と
前記熱交換器（６）から生じるドレン水を受けるドレンパン（７８）と、
ネジが通されるネジ穴を有し前記ドレンパン（７８）の側壁に設けられたボス部（８１）と、
を備え、
前記ボス部（８１）は、前記ドレンパン（７８）内の最高水面位置よりも上方に位置する、
空気調和機（１）の室内機（２）。
【請求項２】
前記ボス部（８１）は、前記ドレンパン（７８）の側壁の上端部に設けられている、
請求項１に記載の空気調和機（１）の室内機（２）。
【請求項３】
前記熱交換器（６）を支持する第１ケーシング（７１）をさらに備え、
前記ドレンパン（７８）は、前記第１ケーシング（７１）の前部に設けられ、
前記ボス部（８１）は、前記ドレンパン（７８）の前側の側壁に設けられている、
請求項１または２に記載の空気調和機（１）の室内機（２）。
【請求項４】
前記第１ケーシング（７１）の前側に設けられる第２ケーシング（７２）をさらに備え、
前記ボス部（８１）には、前記第２ケーシング（７２）が固定される、
請求項３に記載の空気調和機（１）の室内機（２）。
【請求項５】
前記第１ケーシング（７１）の前側に設けられる断熱材をさらに備え、
前記ボス部（８１）には前記断熱材が固定される、
請求項３に記載の空気調和機（１）の室内機（２）。
【請求項６】
電装品を収容する電装品箱をさらに備え、
前記ボス部（８１）には、前記電装品箱が固定される、
請求項３に記載の空気調和機（１）の室内機（２）。
【発明の詳細な説明】
【技術分野】
【０００１】
本発明は、空気調和機の室内機に関する。
【背景技術】
【０００２】
空気調和機の室内機には、熱交換器から滴下するドレン水を受けるためのドレンパンを備えるものがある。例えば、特許文献１に示されている空気調和機の室内機では、熱交換器を収容するケーシングにドレンパンが一体的に設けられており、熱交換器の下端の下方に配置されている。
【特許文献１】特開２００３−２５４５４９号公報
【発明の開示】
【発明が解決しようとする課題】
【０００３】
上記のような空気調和機の室内機においては、ドレンパンの側壁にボス部が設けられることがある。このボス部は、ネジが通されるネジ穴を有しており、ネジによって他の構成部品を固定することができる。
しかし、ボス部のネジ穴にネジが通されると、ボス部が膨らみ亀裂が生じる恐れがある。この場合、上記のようにボス部がドレンパンの側壁に設けられていると、ボス部の亀裂がドレンパンに達して水漏れが生じる恐れがある。
【０００４】
本発明の課題は、ドレンパンからの水漏れの発生を低減することができる空気調和機の室内機を提供することにある。
【課題を解決するための手段】
【０００５】
第１発明に係る空気調和機の室内機は、熱交換器と、ドレンパンと、ボス部とを備える。ドレンパンは、熱交換器から生じるドレン水を受ける。ボス部は、ネジが通されるネジ穴を有し、ドレンパンの側壁に設けられる。そして、ボス部は、ドレンパン内の最高水面位置よりも上方に位置する。
この空気調和機の室内機では、ドレンパンの側壁に設けられるボス部がドレンパンの最高水面位置よりも上方に位置するため、ネジ込みによってボス部に亀裂が生じた場合もドレンパンから水が漏れ難くなる。これにより、ドレンパンからの水漏れの発生を低減することができる。
【０００６】
第２発明に係る空気調和機の室内機は、第１発明の空気調和機の室内機であって、ボス部は、ドレンパンの側壁の上端部に設けられている。
この空気調和機の室内機では、ドレンパンの側壁に設けられるボス部がドレンパンの側壁の上端部に設けられているため、ネジ込みによってボスに亀裂が生じた場合もドレンパンから水が漏れ難くなる。これにより、ドレンパンからの水漏れの発生を低減することができる。
【０００７】
第３発明に係る空気調和機の室内機は、第１発明または第２発明の空気調和機の室内機であって、熱交換器を支持する第１ケーシングをさらに備える。そして、ドレンパンは、第１ケーシングの前部に設けられ、ボス部は、ドレンパンの前側の側壁に設けられている。
この空気調和機の室内機では、ボス部が設けられるドレンパンが、第１ケーシングの前部に設けられる。このため、ボス部を用いて他の構成部品を第１ケーシングの前側に取り付けることができる。
【０００８】
第４発明に係る空気調和機の室内機は、第３発明の空気調和機の室内機であって、第１ケーシングの前側に設けられる第２ケーシングをさらに備える。そして、ボス部には、第２ケーシングが固定される。
この空気調和機の室内機では、ボス部を用いて第２ケーシングを第１ケーシングの前側に取り付けることができる。
【０００９】
第５発明に係る空気調和機の室内機は、第３発明の空気調和機の室内機であって、第１ケーシングの前側に設けられる断熱材をさらに備える。そして、ボス部には断熱材が固定される。
この空気調和機の室内機では、ボス部を用いて断熱材を第１ケーシングの前側に取り付けることができる。
【００１０】
第６発明に係る空気調和機の室内機は、第３発明の空気調和機の室内機であって、電装品を収容する電装品箱をさらに備える。そして、ボス部には、電装品箱が固定される。
この空気調和機の室内機では、ボス部を用いて電装品箱を第１ケーシングの前側に取り付けることができる。
【発明の効果】
【００１１】
第１発明に係る空気調和機の室内機では、ドレンパンの側壁に設けられるボス部がドレンパンの最高水面位置よりも上方に位置するため、ネジ込みによってボス部に亀裂が生じた場合もドレンパンから水が漏れ難くなる。これにより、ドレンパンからの水漏れの発生を低減することができる。
第２発明に係る空気調和機の室内機では、ドレンパンの側壁に設けられるボス部がドレンパンの側壁の上端部に設けられているため、ネジ込みによってボスに亀裂が生じた場合もドレンパンから水が漏れ難くなる。これにより、ドレンパンからの水漏れの発生を低減することができる。
【００１２】
第３発明に係る空気調和機の室内機では、ボス部が設けられるドレンパンが、第１ケーシングの前部に設けられる。このため、ボス部を用いて他の構成部品を第１ケーシングの前側に取り付けることができる。
第４発明に係る空気調和機の室内機では、ボス部を用いて第２ケーシングを第１ケーシングの前側に取り付けることができる。
【００１３】
第５発明に係る空気調和機の室内機では、ボス部を用いて断熱材を第１ケーシングの前側に取り付けることができる。
第６発明に係る空気調和機の室内機では、ボス部を用いて電装品箱を第１ケーシングの前側に取り付けることができる。
【発明を実施するための最良の形態】
【００１４】
＜構成＞
本発明の一実施形態に係る空気調和機１の室内機２を図１に示す。この空気調和機１の室内機２は、室内の壁面に設置される室内機であり、室外に設置される室外機３と冷媒配管４によって繋がれている。室内機２と室外機３とは、図示しない冷媒回路を構成している。
室内機２の側面断面図を図２に示す。室内機２は、送風ファン５と、室内熱交換器６と、ケーシング７とを備えている。
【００１５】
〔送風ファン５〕
送風ファン５は、中心軸が水平方向に平行になるように配置されたクロスフローファンである。送風ファン５は、長細い円筒形状を有しており、その周面には羽根が設けられている。送風ファン５は、図示しないファンモータによって回転駆動されて空気流を生成する。送風ファン５は、側面視において室内機２の概ね中央に位置している。
【００１６】
〔室内熱交換器６〕
室内熱交換器６は、接触する空気との間で熱交換を行う。室内熱交換器６は、側面視において逆Ｖ字型の形状を有しており、送風ファン５の上方および前方を覆うように配置される。室内熱交換器６は、第１熱交換部６１、第２熱交換部６２、第３熱交換部６３を有する。
【００１７】
第１熱交換部６１は、平坦な板状の外形を有しており、送風ファン５の後部上方に配置されている。第１熱交換部６１は、後側が下方に位置し前側が上方に位置するように傾斜して配置されている。第１熱交換部６１の下端は送風ファン５の後方に位置している。
第２熱交換部６２は、平坦な板状の外形を有しており、送風ファン５の前部上方に配置されている。第２熱交換部６２は、後側が上方に位置し前側が下方に位置するように傾斜して配置されており、その上端部は第１熱交換部６１の上端部に繋がっている。
第３熱交換部６３は、平坦な板状の外形を有しており、送風ファン５の前方に配置されている。第３熱交換部６３は、鉛直方向に沿って配置されており、その上端部は第２熱交換部６２の下端部に繋がっている。第３熱交換部６３の下端部は、送風ファン５の下端部と概ね同じ高さに位置している。
【００１８】
〔ケーシング７〕
ケーシング７は、送風ファン５や室内熱交換器６を収容しており、水平方向に長い外形を有する。ケーシング７は、底フレーム７１、前面グリル７２、前面パネル７３を有している。
【００１９】
〈底フレーム７１〉
底フレーム７１は、送風ファン５及び室内熱交換器６を支持する樹脂製の部材であり、送風ファン５及び室内熱交換器６の後方および下方を覆っている。底フレーム７１の前後方向の中央部には、送風ファン５を収納するファン収納部７４が設けられている。底フレーム７１の底面前部には、室内へ吹き出される空気が通る吹出し口７５が設けられており、底フレーム７１の内部には、吹出し口７５とファン収納部７４とを連通させる吹き出し通路７６が設けられている。なお、吹出し口７５には、吹出し口７５を開閉するフラップ７７が設けられている。また、底フレーム７１には、第１ドレンパン７８と第２ドレンパン７９とが設けられている。
【００２０】
第１ドレンパン７８は、底フレーム７１の前部に底フレーム７１の長手方向に沿って設けられており、室内熱交換器６から滴下するドレン水を受ける部分である。第１ドレンパン７８は、底フレーム７１に一体的に設けられており、上方が開いた凹状の形状を有している。第１ドレンパン７８は、ファン収納部７４の前方に位置しており、第１ドレンパン７８の底面は、第３熱交換部６３の下端の下方に位置している。
【００２１】
第１ドレンパン７８が有する前後の側壁のうち前側に位置する前部側壁８０の前面には、図２および図３に示すように、複数のボス部８１が設けられている。複数のボス部８１は、第１ドレンパン７８の長手方向に沿って所定間隔を隔てて配置されている。これらのボス部８１は、それぞれ前後方向に延びる円筒形の外径を有しており、ボス部８１の後端部が前部側壁８０に繋がっている。すなわち、ボス部８１は、前部側壁８０から前方に突出して設けられている。ボス部８１は、前部側壁８０の上端部に設けられており、第３熱交換部６３の下端部よりも上方に位置している。また、ボス部８１は、ネジ８２が通されるネジ穴８３を有している。このネジ穴８３は、前後方向に沿って設けられており、後端部が閉塞され、前端部が開口している。なお、ボス部８１の下方にはボス部８１および前部側壁８０の前面に繋がった補強用リブ８４が設けられている。
【００２２】
第２ドレンパン７９は、底フレーム７１の後部に底フレーム７１の長手方向に沿って設けられており、室内熱交換器６から滴下するドレン水を受ける部分である。第２ドレンパン７９は、底フレーム７１に一体的に設けられており、上方が開いた凹状の形状を有している。第２ドレンパン７９は、ファン収納部７４の後方に位置しており、第２ドレンパン７９の底面は、第１熱交換部６１の下端の下方に位置している。なお、第２ドレンパン７９は、第１ドレンパン７８よりも高い位置に配置されている。
【００２３】
〈前面グリル７２〉
前面グリル７２は、底フレーム７１の前側に設けられ、底フレーム７１の前方、側方および上方を覆う樹脂製の部材である。前面グリル７２には、内部吸込み口８５と上部吸込み口８６とが設けられている。内部吸込み口８５は、前面グリル７２の前面に設けられた開口である。上部吸込み口８６は、前面グリル７２の上面に設けられた複数のスリットからなる開口である。また、前面グリル７２の前面には、上述したボス部８１のネジ穴８３に対向する位置にネジ穴８７が設けられている。この前面グリル７２のネジ穴８７とボス部８１のネジ穴８３にネジ８２が通されることによって、前面グリル７２がボス部８１に固定され、前面グリル７２が底フレーム７１に固定される。
【００２４】
〈前面パネル７３〉
前面パネル７３は、前面グリル７２の前側に設けられ前面グリル７２の前方を覆う樹脂製の部材であり、前側表面が比較的平坦な形状となっている。前面パネル７３の前面上部には、前部吸込み口８８が設けられている。室内の空気は、前部吸込み口８８から前面パネル７３と前面グリル７２の前面との間の空間を通り、前面グリル７２の内部吸込み口８５から前面グリル７２の内部に吸い込まれる。前面グリル７２の内部に吸い込まれた空気は、室内熱交換器６を通ることにより温度調整され、ファン収納部７４および吹き出し通路７６を通って、吹出し口７５から室内へと吹き出される。
【００２５】
＜特徴＞
この空気調和機１の室内機２では、第１ドレンパン７８に設けられるボス部８１が、前部側壁８０の上端部に設けられているため、ボス部８１の下面は、前部側壁８０の上端部よりも僅かに下方に位置している最高水面位置よりも上方に位置している。このため、ボス部８１のネジ穴８３にネジ８２が打たれることによってボス部８１に亀裂が生じても、亀裂は、第１ドレンパン７８に蓄積されたドレン水の水面よりも上方に位置することになる。これにより、この空気調和機１の室内機２では、第１ドレンパン７８からの水漏れの発生を防止することができる。
【００２６】
また、第１ドレンパン７８からの水漏れ防止のためには、ボス部８１の肉厚を大きくすることが考えられるが、この場合、底フレーム７１の成型後の材料収縮によってネジ穴８３の径を確保することが困難になる。しかし、この空気調和機１の室内機２では、上記のようにボス部８１に亀裂が生じても第１ドレンパン７８からの水漏れを防止することができるため、ボス部８１の肉厚を大きくする必要が無く、ネジ穴８３の径の確保が容易である。
【００２７】
＜他の実施形態＞
（Ａ）
上記の実施形態では、ボス部８１は、前面グリル７２の固定用に用いられているが、底フレーム７１の前側に設けられる断熱材の固定用にボス部８１が使用されてもよい。
（Ｂ）
上記の実施形態では、ボス部８１は、前面グリル７２の固定用に用いられているが、電装品を収容する電装品箱がさらに備えられ、この電装品箱の固定用にボス部８１が使用されてもよい。
【００２８】
（Ｃ）
上記の実施形態では、ボス部８１は、底フレーム７１に前面グリル７２を固定するための部分であるが、空気調和機１の室内機２の他の構成部品の固定に用いられるものであってもよい。
また、上記の実施形態では、壁掛け型の室内機に本発明が適用されているが、他の形態の室内機にも適用可能である。
【産業上の利用可能性】
【００２９】
本発明は、ドレンパンからの水漏れの発生を低減することができる効果を有し、空気調和機の室内機として有用である。
【図面の簡単な説明】
【００３０】
【図１】空気調和機の全体図。
【図２】空気調和機の室内機の側面断面図。
【図３】底フレームの前面図。
【符号の説明】
【００３１】
１        空気調和機
２        室内機
６        室内熱交換器（熱交換器）
７１      底フレーム（第１ケーシング）
７２      前面グリル（第２ケーシング）
７８      第１ドレンパン（ドレンパン）
８１      ボス部
【図１】
2007205675.tif 000003
【図２】
2007205675.tif 000004
【図３】
2007205675.tif 000005